【手続補正書】
【提出日】平成18年3月9日(2006.3.9)
【手続補正１】
【補正対象書類名】特許請求の範囲
【補正対象項目名】全文
【補正方法】変更
【補正の内容】
【特許請求の範囲】
【請求項１】
光ディスクに光ビームを照射することにより前記光ディスクに記録された情報を読み出す光ディスク装置であって、
前記光ディスクを回転させる回転手段と、
前記光ディスク上の光ビームに照射されるスポットを、前記光ディスクに対して半径方向に移動させる移動手段と、
前記スポットの線速度を検出する線速度検出手段と、
前記光ディスクに記録された情報が読み出されるときには、前記光ディスク上の任意の半径位置において、前記線速度検出手段により検出された線速度が略一定となるように前記回転手段を制御する回転制御手段と、
前記移動手段により前記スポットが移動されるときに、前記線速度検出手段によって検出された線速度が許容線速度以下になるのを防ぐように、前記回転手段及び前記移動手段の少なくとも一方を制御する移動時制御手段と、
前記光ビームの照射対象となる前記光ディスクの種別を判定する種別判定手段とを備え、前記移動時制御手段は、前記種別判定手段によって判定された光ディスクの種別に応じて前記許容線速度を変更することを特徴とする光ディスク装置。
【請求項２】
前記移動時制御手段は、
前記スポットを前記光ディスクに対して半径方向に沿って移動させるときには、前記移動に対応した半径位置と移動時間との関係を示す位置プロフィールを作成して、前記位置プロフィールに沿って前記スポットが移動するように前記移動手段を制御するとともに、
前記線速度検出手段により検出された線速度が許容線速度に近づくと、前記線速度が低下しないように前記位置プロフィールを改変し、前記改変された位置プロフィールに沿って前記スポットが移動するように前記移動手段を制御する
ことを特徴とする請求項１記載の光ディスク装置。
【請求項３】
前記移動手段が前記スポットを前記光ディスクの外周から内周に向かって移動させているときには、前記回転制御手段は前記回転手段に光ディスクの回転速度を増加させ、
前記移動時制御手段は、
前記移動中、前記線速度検出手段により検出された線速度が許容線速度に近づくと、前記移動手段による前記スポットの移動速度が低下するように前記位置プロフィールを改変する
ことを特徴とする請求項２記載の光ディスク装置。
【請求項４】
前記移動手段が前記スポットを前記光ディスクの内周から外周に向かって移動させているときには、前記回転制御手段は前記回転手段に光ディスクの回転速度を低下させ、
前記移動時制御手段は、
前記移動中、前記線速度検出手段により検出された線速度が許容線速度に近づくと、前記移動手段による前記スポットの移動速度が増加するように前記位置プロフィールを改変する
ことを特徴とする請求項２記載の光ディスク装置。
【請求項５】
前記移動手段は、
前記種別判定手段により判定された光ディスクの種別に応じて前記位置プロフィールを作成する
ことを特徴とする請求項２記載の光ディスク装置。
【請求項６】
前記光ディスク装置は、さらに、
光ビームの焦点と光ディスクとの距離の差に応じた焦点誤差信号を出力する焦点誤差出力手段を備え、
前記種別判定手段は、
前記焦点誤差出力手段から出力される焦点誤差信号に基づいて前記光ディスクの種別を判定する
ことを特徴とする請求項２記載の光ディスク装置。
【請求項７】
前記種別判定手段は、
前記光ディスクから、情報の読み出しに必要な光ビームの出力を特定し、前記特定結果に基づいて前記光ディスクの種別を判定する
ことを特徴とする請求項２記載の光ディスク装置。
【請求項８】
前記線速度検出手段は、
光ディスクの回転速度と、前記スポットの光ディスク上の半径位置とに基づいて前記線速度を検出する
ことを特徴とする請求項２記載の光ディスク装置。
【請求項９】
前記線速度検出手段は、さらに、
前記移動手段による前記スポットの半径方向への移動速度に基づいて前記線速度を検出する
ことを特徴とする請求項８記載の光ディスク装置。
【請求項１０】
前記移動時制御手段は、
前記線速度検出手段により検出された線速度が許容線速度に近づくと、前記線速度が低下しないように、前記移動手段による前記スポットの移動速度を変化させる
ことを特徴とする請求項１記載の光ディスク装置。
【請求項１１】
前記移動手段が前記スポットを前記光ディスクの外周から内周に向かって移動させているときには、前記回転制御手段は前記回転手段に光ディスクの回転速度を増加させ、
前記移動時制御手段は、
前記移動中、前記線速度検出手段により検出された線速度が許容線速度に近づくと、前記移動手段に対して前記スポットの移動速度を低下させる
ことを特徴とする請求項１０記載の光ディスク装置。
【請求項１２】
前記移動手段が前記スポットを前記光ディスクの内周から外周に向かって移動させているときには、前記回転制御手段は前記回転手段に光ディスクの回転速度を低下させ、
前記移動時制御手段は、
前記移動中、前記線速度検出手段により検出された線速度が許容線速度に近づくと、前記移動手段に対して前記スポットの移動速度を増加させる
ことを特徴とする請求項１０記載の光ディスク装置。
【請求項１３】
前記移動手段は、
外部から取得した駆動信号に応じて、前記スポットの前記光ディスクの半径方向に沿った移動速度を変化させ、
前記移動時制御手段は、
前記線速度検出手段により検出された線速度が許容線速度に近づくと、前記線速度が低下しないように、前記駆動信号にオフセット信号を印加して前記駆動信号を変化させる
ことを特徴とする請求項１記載の光ディスク装置。
【請求項１４】
前記移動手段が前記スポットを前記光ディスクの外周から内周に向かって移動させているときには、前記回転制御手段は前記回転手段に光ディスクの回転速度を増加させ、
前記移動時制御手段は、
前記移動中、前記線速度検出手段により検出された線速度が許容線速度に近づくと、前記スポットの前記移動手段による移動速度が減速するようなオフセット信号を印加する
ことを特徴とする請求項１３記載の光ディスク装置。
【請求項１５】
前記移動手段が前記スポットを前記光ディスクの内周から外周に向かって移動させているときには、前記回転制御手段は前記回転手段に光ディスクの回転速度を低下させ、
前記移動時制御手段は、
前記移動中、前記線速度検出手段により検出された線速度が許容線速度に近づくと、前記スポットの前記移動手段による移動速度が増加するようなオフセット信号を印加する
ことを特徴とする請求項１３記載の光ディスク装置。
【請求項１６】
前記移動時制御手段は、
前記回転手段による光ディスクの回転速度を調整する
ことを特徴とする請求項１記載の光ディスク装置。
【請求項１７】
前記回転手段は、
前記回転制御部から出力される駆動信号を取得して、前記駆動信号に応じて光ディスクの回転速度を変化させ、
前記移動時制御手段は、
前記線速度検出手段により検出された線速度が許容線速度に近づくと、前記線速度が低下しないように、前記駆動信号を増幅する
ことを特徴とする請求項１６記載の光ディスク装置。
【請求項１８】
前記回転手段は、
前記回転制御手段から出力される駆動信号を取得して、前記駆動信号に応じて光ディスクの回転速度を変化させ、
前記移動時制御手段は、
前記線速度検出手段により検出された線速度が許容線速度に近づくと、前記線速度が低下しないように、前記駆動信号にオフセット信号を印加して前記駆動信号を変化させる
ことを特徴とする請求項１６記載の光ディスク装置。
【請求項１９】
前記移動時制御手段は、
前記移動手段が前記スポットを前記光ディスクの半径方向に沿って目標半径位置に移動させるときに、
前記スポットの前記目標半径位置への到達時に、光ディスクの回転速度が前記目標半径位置に応じた回転速度よりも速くなるように、前記回転手段に対して前記光ディスクの回転速度を遷移させる
ことを特徴とする請求項１６記載の光ディスク装置。
【請求項２０】
光ディスクに光ビームを照射することにより前記光ディスクに記録された情報を読み出す光ディスク装置であって、
前記光ビームの焦点が前記光ディスクに合うように前記焦点を調整する焦点調整手段と、
前記光ディスクを回転させる回転手段と、
前記光ディスク上の光ビームに照射されるスポットを、前記光ディスクに対して半径方向に移動させる移動手段と、
前記スポットの線速度を検出する線速度検出手段と、
前記光ディスクに記録された情報が読み出されるときには、前記光ディスク上の任意の半径位置において、前記線速度検出手段により検出された線速度が略一定となるように前記回転手段を制御する回転制御手段と、
前記移動手段により前記スポットが移動されるときに、前記線速度検出手段によって検出された線速度が所定の線速度以下になると、前記焦点調整手段による焦点の調整を停止させる焦点調整停止手段と
を備えることを特徴とする光ディスク装置。
【請求項２１】
光ディスクに記録された情報を読み出すための光ビームを前記光ディスクに照射する光ビームの照射方法であって、
モータが前記光ディスクを回転させる回転ステップと、
トラバースが前記光ディスク上の光ビームに照射されるスポットを、前記光ディスクに対して半径方向に移動させる移動ステップと、
前記スポットの線速度を検出する線速度検出ステップと、
前記光ディスクに記録された情報が読み出されるときには、前記光ディスク上の任意の半径位置において、前記線速度検出ステップで検出された線速度が略一定となるように前記モータを制御する回転制御ステップと、
前記トラバースにより前記スポットが移動されるときに、前記線速度検出ステップで検出される線速度が許容線速度以下になるのを防ぐように、前記モータ及び前記トラバースの少なくとも一方を制御する移動時制御ステップと
を含むことを特徴とする光ビームの照射方法。
【請求項２２】
前記移動時制御ステップでは、
前記移動に対応した半径位置と移動時間との関係を示す位置プロフィールを作成して、前記位置プロフィールに沿って前記スポットが移動するように前記トラバースを制御するとともに、
前記線速度検出ステップで検出される線速度が許容線速度に近づくと、前記線速度が低下しないように前記位置プロフィールを改変し、前記改変された位置プロフィールに沿って前記スポットが移動するように前記トラバースを制御する
ことを特徴とする請求項２１記載の光ビームの照射方法。
【請求項２３】
前記照射方法は、さらに、
前記光ビームの照射対象となる光ディスクの種別を判定する種別判定ステップを含み、
前記移動時制御ステップでは、
前記種別判定ステップで判定された光ディスクの種別に応じて前記許容線速度を変更する
ことを特徴とする請求項２２記載の光ビームの照射方法。
【請求項２４】
前記移動時制御ステップでは、
前記モータによる光ディスクの回転速度を調整する
ことを特徴とする請求項２１記載の光ビームの照射方法。
【請求項２５】
光ディスクに記録された情報を読み出すための光ビームを前記光ディスクに照射する光ビームの照射方法を、コンピュータに実行させるプログラムであって、
モータが前記光ディスクを回転させる回転ステップと、
トラバースが前記光ディスク上の光ビームに照射されるスポットを、前記光ディスクに対して半径方向に移動させる移動ステップと、
前記スポットの線速度を検出する線速度検出ステップと、
前記光ディスクに記録された情報が読み出されるときには、前記光ディスク上の任意の半径位置において、前記線速度検出ステップで検出された線速度が略一定となるように前記モータを制御する回転制御ステップと、
前記トラバースにより前記スポットが移動されるときに、前記線速度検出ステップで検出される線速度が許容線速度以下になるのを防ぐように、前記モータ及び前記トラバースの少なくとも一方を制御する移動時制御ステップと
を含むことを特徴とするプログラム。
【請求項２６】
前記移動時制御ステップでは、
前記移動に対応した半径位置と移動時間との関係を示す位置プロフィールを作成して、前記位置プロフィールに沿って前記スポットが移動するように前記トラバースを制御するとともに、
前記線速度検出ステップで検出される線速度が許容線速度に近づくと、前記線速度が低下しないように前記位置プロフィールを改変し、前記改変された位置プロフィールに沿って前記スポットが移動するように前記トラバースを制御する
ことを特徴とする請求項２５記載のプログラム。
【請求項２７】
前記照射方法は、さらに、
前記光ビームの照射対象となる光ディスクの種別を判定する種別判定ステップを含み、
前記移動時制御ステップでは、
前記種別判定ステップで判定された光ディスクの種別に応じて前記許容線速度を変更する
ことを特徴とする請求項２６記載のプログラム。
【請求項２８】
前記移動時制御ステップでは、
前記モータによる光ディスクの回転速度を調整する
ことを特徴とする請求項２５記載のプログラム
【手続補正２】
【補正対象書類名】明細書
【補正対象項目名】００２６
【補正方法】変更
【補正の内容】
【００２６】
上記目的を達成するために、本発明に係る光ディスク装置は、光ディスクに光ビームを照射することにより前記光ディスクに記録された情報を読み出す光ディスク装置であって、前記光ディスクを回転させる回転手段と、前記光ディスク上の光ビームに照射されるスポットを、前記光ディスクに対して半径方向に移動させる移動手段と、前記スポットの線速度を検出する線速度検出手段と、前記光ディスクに記録された情報が読み出されるときには、前記光ディスク上の任意の半径位置において、前記線速度検出手段により検出された線速度が略一定となるように前記回転手段を制御する回転制御手段と、前記移動手段により前記スポットが移動されるときに、前記線速度検出手段によって検出された線速度が許容線速度以下になるのを防ぐように、前記回転手段及び前記移動手段の少なくとも一方を制御する移動時制御手段と、前記光ビームの照射対象となる前記光ディスクの種別を判定する種別判定手段とを備え、前記移動時制御手段は、前記種別判定手段によって判定された光ディスクの種別に応じて前記許容線速度を変更することを特徴とする。